(57)【特許請求の範囲】
【請求項１】
内周側にホルダ移動室を有する筒状の固定ホルダと、基端側が該固定ホルダのホルダ移動室内に軸方向に移動可能に設けられ、先端側にカプセルを収容するカプセル収容室を有する筒状の可動ホルダと、前記固定ホルダに設けられ、該可動ホルダのカプセル収容室に向け空気を供給するポンプと、該ポンプから前記固定ホルダを介して前記可動部材のカプセル収容室に向けて設けられた空気流通路と、該空気流通路の途中に設けられ、前記カプセルから空気流通路内に落下する薬粉を捕捉する落下薬粉捕捉部と、前記可動ホルダに設けられ、前記カプセル内の薬粉を噴霧ノズルから鼻腔内に噴霧する薬粉噴霧部とを備えてなる鼻腔用投薬器において、
前記固定ホルダには、前記ホルダ移動室の底部から軸方向に延びる有底穴部を設けると共に、該有底穴部の穴底には穴あけピンが取付けられる突起部を突設し、
前記可動ホルダには、該可動ホルダの底部から軸方向に延び前記突起部の外周面と有底穴部の内周面とに摺動可能に嵌合する嵌合筒部を設け、
前記落下薬粉捕捉部は、前記有底穴部に嵌合筒部を嵌合したときに前記穴あけピンの周囲に位置して前記嵌合筒部の内周側の空間として形成し、
前記固定ホルダと可動ホルダとの間には、前記ポンプからカプセル収容室に空気を供給したときに前記落下薬粉捕捉部で捕捉した薬粉が前記固定ホルダのホルダ移動室側に侵入するのを阻止する薬粉侵入阻止手段を設け、
該薬粉侵入阻止手段は、前記突起部の外周面と嵌合筒部の内周面との間の摺動部位、および前記有底穴部の内周面と嵌合筒部の外周面との間の摺動部位により形成する構成としたことを特徴とする鼻腔用投薬器。
【請求項２】
内周側にホルダ移動室を有する筒状の固定ホルダと、基端側が該固定ホルダのホルダ移動室内に軸方向に移動可能に設けられ、先端側にカプセルを収容するカプセル収容室を有する筒状の可動ホルダと、前記固定ホルダに設けられ、該可動ホルダのカプセル収容室に向け空気を供給するポンプと、該ポンプから前記固定ホルダを介して前記可動部材のカプセル収容室に向けて設けられた空気流通路と、該空気流通路の途中に設けられ、前記カプセルから空気流通路内に落下する薬粉を捕捉する落下薬粉捕捉部と、前記可動ホルダに設けられ、前記カプセル内の薬粉を噴霧ノズルから鼻腔内に噴霧する薬粉噴霧部とを備えてなる鼻腔用投薬器において、
前記固定ホルダには、前記ホルダ移動室の底部から軸方向に延びる有底穴部を前記カプセルに穴を開けるための穴あけピンを囲んで設け、
前記可動ホルダには、該可動ホルダの底部から軸方向に延び前記有底穴部に嵌合する嵌合筒部を設け、
前記落下薬粉捕捉部は、前記有底穴部に嵌合筒部を嵌合したときに前記穴あけピンの周囲に位置して前記嵌合筒部の内周側の空間として形成し、
前記固定ホルダと可動ホルダとの間には、前記ポンプからカプセル収容室に空気を供給したときに前記落下薬粉捕捉部で捕捉した薬粉が前記固定ホルダのホルダ移動室側に侵入するのを阻止する薬粉侵入阻止手段を設け、
該薬粉侵入阻止手段は、前記有底穴部の内周面と嵌合筒部の外周面との間をシールするために前記固定ホルダまたは可動ホルダに設けられたシールリングによって構成したことを特徴とする鼻腔用投薬器。
【発明の詳細な説明】
【０００１】
【発明の属する技術分野】
本発明は、カプセル内に充填した薬粉を患者の鼻腔内に投与するのに用いて好適な鼻腔用投薬器に関する。
【０００２】
【従来の技術】
一般に、鼻アレルギー、喘息等の患者には薬粉（粉体状の薬品）を鼻腔内に投与して治療する方法が採用されている。また、この治療法では専用の投薬器を用いて、カプセル内に充填した薬粉を鼻腔内へ投与するようになっている。
【０００３】
さらに、この治療法に用いられる投薬器としては、例えば特開平８−２４３１６３号公報、特開平９−９９０８１号公報等（以下、従来技術という）に示すものが知られている。
【０００４】
この従来技術における鼻腔用投薬器は、内周側にホルダ移動室を有する筒状の固定ホルダと、基端側が該固定ホルダのホルダ移動室内に軸方向に移動可能に設けられ、先端側にカプセルを収容するカプセル収容室を有する筒状の可動ホルダと、前記固定ホルダに設けられ、該可動ホルダのカプセル収容室に向け空気を供給するポンプと、該ポンプから前記固定ホルダを介して前記可動部材のカプセル収容室に向けて設けられた空気流通路と、該空気流通路の途中に設けられ、前記カプセルから空気流通路内に落下する薬粉を捕捉する落下薬粉捕捉部とを備えている。
【０００５】
このように構成された鼻腔用投薬器を使用する場合には、まず投薬の準備動作として、カプセルホルダのカプセル収容室内にカプセルを挿入し、この状態で、針等の穴あけ具を用いてカプセルの軸方向両側に穴をあける。
【０００６】
次に、薬粉を投与する場合には、薬粉噴霧部の噴霧ノズルを患者の鼻腔内に挿入し、この状態でポンプを押圧して該ポンプからカプセル収容室内のカプセルに向け空気を供給する。これにより、ポンプから供給される空気は、流入側の穴を通ってカプセル内に流入し、該カプセル内の薬粉を流出側の穴を通して薬粉噴霧部の噴霧ノズル側に流出させるから、この薬粉は該噴霧ノズルを介して患者の鼻腔内に噴霧され、患者に投与される。
【０００７】
また、カプセルに流入側の穴をあけたときには、カプセル内に充填された薬粉が空気流通路内に落下する場合があるが、この空気流通路の途中には、カプセルから落下した薬粉を捕捉する落下薬粉捕捉部を設けているから、該落下薬粉捕捉部によって薬粉を捕捉することができる。そして、落下薬粉捕捉部で捕捉した薬粉は、ポンプから供給される空気流によってカプセル側に供給され、該カプセル内の薬粉と一緒に患者に投与される。
【０００８】
【発明が解決しようとする課題】
ところで、上述した従来技術による鼻腔用投薬器では、落下薬粉捕捉部で捕捉した薬粉をポンプから供給される空気流によってカプセル側に供給するようにしている。
【０００９】
しかし、薬粉のうち非常に細かい微粉は、固定ホルダと可動ホルダとの間の僅かな隙間を通ってホルダ移動室内に侵入してしまうという問題がある。そして、ホルダ移動室の清掃は困難であるため、ホルダ移動室内に薬粉が侵入したままで投薬を繰り返すと、該ホルダ移動室内に薬粉が堆積し、固定ホルダに対する可動ホルダの移動範囲が小さくなる。この結果、カプセルに流入側の穴を確実にあけることができなくなり、投薬効率が低下するという問題がある。
【００１０】
本発明は上述した従来技術の問題に鑑みなされたもので、本発明の目的は、固定ホルダのホルダ移動室に薬粉が侵入するのを阻止し、投薬効率を向上することができるようにした鼻腔用投薬器を提供することにある。
【００１１】
【課題を解決するための手段】
本発明による鼻腔用投薬器は、内周側にホルダ移動室を有する筒状の固定ホルダと、基端側が該固定ホルダのホルダ移動室内に軸方向に移動可能に設けられ、先端側にカプセルを収容するカプセル収容室を有する筒状の可動ホルダと、前記固定ホルダに設けられ、該可動ホルダのカプセル収容室に向け空気を供給するポンプと、該ポンプから前記固定ホルダを介して前記可動部材のカプセル収容室に向けて設けられた空気流通路と、該空気流通路の途中に設けられ、前記カプセルから空気流通路内に落下する薬粉を捕捉する落下薬粉捕捉部と、前記可動ホルダに設けられ、前記カプセル内の薬粉を噴霧ノズルから鼻腔内に噴霧する薬粉噴霧部とを備えている。
【００１２】
そして、上述した課題を解決するために、請求項１の発明が採用する構成の特徴は、前記固定ホルダには、前記ホルダ移動室の底部から軸方向に延びる有底穴部を設けると共に、該有底穴部の穴底には穴あけピンが取付けられる突起部を突設し、前記可動ホルダには、該可動ホルダの底部から軸方向に延び前記突起部の外周面と有底穴部の内周面とに摺動可能に嵌合する嵌合筒部を設け、前記落下薬粉捕捉部は、前記有底穴部に嵌合筒部を嵌合したときに前記穴あけピンの周囲に位置して前記嵌合筒部の内周側の空間として形成し、前記固定ホルダと可動ホルダとの間には、前記ポンプからカプセル収容室に空気を供給したときに前記落下薬粉捕捉部で捕捉した薬粉が前記固定ホルダのホルダ移動室側に侵入するのを阻止する薬粉侵入阻止手段を設け、該薬粉侵入阻止手段は、前記突起部の外周面と嵌合筒部の内周面との間の摺動部位、および前記有底穴部の内周面と嵌合筒部の外周面との間の摺動部位により形成する構成としたことにある。
【００１３】
このように構成したことにより、落下薬粉捕捉部で捕捉した薬粉は、ポンプから供給される空気流によってカプセル収容室側に流れる。このときに、薬粉侵入阻止手段は、薬粉が固定ホルダのホルダ移動室側に侵入するのを阻止するから、ホルダ移動室に薬粉が堆積して可動ホルダが動作不良を生じるのを防止でき、また落下薬粉捕捉部で捕捉した薬粉のほぼ全量をカプセル内の薬粉と一緒に患者に投与することができる。即ち、薬粉侵入阻止手段は、突起部の外周面と嵌合筒部の内周面との間の摺動部位、および有底穴部の内周面と嵌合筒部の外周面との間の摺動部位の２箇所でシール性を発揮するから、薬粉が固定ホルダのホルダ移動室側に侵入するのを阻止することができる。
【００１６】
また、請求項２の発明が採用する構成の特徴は、固定ホルダには、ホルダ移動室の底部から軸方向に延びる有底穴部をカプセルに穴を開けるための穴あけピンを囲んで設け、可動ホルダには、該可動ホルダの底部から軸方向に延び前記有底穴部に嵌合する嵌合筒部を設け、落下薬粉捕捉部は、前記有底穴部に嵌合筒部を嵌合したときに前記穴あけピンの周囲に位置して前記嵌合筒部の内周側の空間として形成し、前記固定ホルダと可動ホルダとの間には、前記ポンプからカプセル収容室に空気を供給したときに前記落下薬粉捕捉部で捕捉した薬粉が前記固定ホルダのホルダ移動室側に侵入するのを阻止する薬粉侵入阻止手段を設け、該薬粉侵入阻止手段は、前記有底穴部の内周面と嵌合筒部の外周面との間をシールするために前記固定ホルダまたは可動ホルダに設けられたシールリングによって構成したことにある。
【００１７】
このように構成したことにより、落下薬粉捕捉部で捕捉した薬粉は、ポンプから供給される空気流によってカプセル収容室側に流れる。このときには、薬粉侵入阻止手段としてのシールリングが有底穴部の内周面と嵌合筒部の外周面との間をシールしているから、薬粉が固定ホルダのホルダ移動室側に侵入するのを阻止することができる。
【００１８】
【発明の実施の形態】
以下、本発明の実施の形態による鼻腔用投薬器を添付図面に従って詳細に説明する。
【００１９】
まず、図１ないし図３は本発明の第１の実施の形態を示すに、１は鼻腔用投薬器の本体をなし、カプセルＫを保持するカプセルホルダで、該カプセルホルダ１は、後述の固定ホルダ２と、該固定ホルダ２の内周側に軸方向に移動可能に設けられた可動ホルダ１０とによって構成されている。
【００２０】
２はカプセルホルダ１の外形をなす固定ホルダで、該固定ホルダ２は、図２に示す如く、外筒部３と、該外筒部３内に同軸に配設された内筒部４とから大略構成されている。また、内筒部４は、外筒部３の半分程度の軸方向寸法を有し、その上部側が外筒部３の軸方向中間位置に一体的に固着されている。
【００２１】
ここで、外筒部３の下部側は、段付円板状の底板３Ａによって閉塞され、該底板３Ａの中央には、後述のポンプ１７と連通する空気供給通路３Ｂが形成されている。また、外筒部３の上端部は、径方向外向きに突出してフランジ部３Ｃとなり、上部側内周面には後述の回止め突起１１Ａ，１１Ａが係合する係合溝３Ｄ，３Ｄが軸方向に延びて形成されている。
【００２２】
また、内筒部４には、後述する可動ホルダ１０側の連通孔１３Ａ，１３Ａに連通する径方向通路４Ａ，４Ａが、例えば周方向に９０度間隔で４本（２本のみ図示）設けられている。さらに、内筒部４の下側には、後述する吐出弁１９の開弁量を規制する開弁量規制部４Ｂが下向きに突設されている。
【００２３】
５は固定ホルダ２の外筒部３の内周面と内筒部４の上面とによって有底状の空間として形成されたホルダ移動室５で、該ホルダ移動室５は、後述する可動ホルダ１０の底部１１が上下方向に移動する空間として確保されている。
【００２４】
６は内筒部４のホルダ移動室５底部から軸方向下向きに延びる有底穴部で、該有底穴部６には、後述する可動ホルダ１０の嵌合筒部１３が摺動可能に嵌合して設けられている。
【００２５】
７は有底穴部６の穴底中央に位置して上方に向けて突設された突起部で、該突起部７には、カプセルＫに流入穴Ｈ1 をあける第１の穴あけピン８が取付けられている。そして、この突起部７には可動ホルダ１０の嵌合筒部１３が摺動可能に嵌合して設けられている。
【００２６】
９は固定ホルダ２に設けられた環状通路で、該環状通路９は、外筒部３と内筒部４との間に円筒状空間として形成され、空気供給通路３Ｂと径方向通路４Ａとを連通している。
【００２７】
１０は固定ホルダ２と共にカプセルホルダ１を構成する可動ホルダで、該可動ホルダ１０は、後述する底部１１、筒部１２および嵌合筒部１３によって大略構成されている。
【００２８】
１１は可動ホルダ１０の基部となる底部で、該底部１１は、固定ホルダ２のホルダ移動室５内に軸方向に移動可能に挿嵌された厚肉な円板状に形成され、その周面には、外筒部３の係合溝３Ｄ，３Ｄに係合する回止め突起１１Ａ，１１Ａが径方向に突設されている。
【００２９】
１２は底部１１から軸方向の上向きに延びて設けられた筒部で、該筒部１２には、外周側に雄ねじ１２Ａが形成され、内周側には一側カプセル穴１２Ｂが形成されている。そして、一側カプセル穴１２Ｂは、後述の他側カプセル穴２２Ｂと一体化することによりカプセル収容室２３を構成している。
【００３０】
１３は底部１１から軸方向の下向きに延びて設けられた嵌合筒部で、該嵌合筒部１３は、有底穴部６の内周面と突起部７の外周面とに摺動可能に嵌合している。また、嵌合筒部１３には、可動ホルダ１０が上側に移動した状態で各径方向通路４Ａに連通する連通孔１３Ａ，１３Ａが径方向に形成されている。
【００３１】
１４はカプセルＫに流入穴Ｈ1 をあけたときに落下する薬粉を捕捉する落下薬粉捕捉部で、該落下薬粉捕捉部１４は、第１の穴あけピン８の周囲に位置して嵌合筒部１３の内周と突起部７の上端面とによって囲まれた空間として形成されている。
【００３２】
１５は突起部７の外周面と嵌合筒部１３の内周面との間に摺動部位として形成された第１の薬粉侵入阻止部で、該第１の薬粉侵入阻止部１５は、落下薬粉捕捉部１４に捕捉された薬粉が、突起部７と嵌合筒部１３との間を下向きに流通するの防止するものである。
【００３３】
また、１６は有底穴部６の内周面と嵌合筒部１３の外周面との間に摺動部位として形成された第２の薬粉侵入阻止部で、該第２の薬粉侵入阻止部１６は、落下薬粉捕捉部１４に捕捉された薬粉が、有底穴部６と嵌合筒部１３との間をホルダ移動室５に向けて上向きに流通するの防止するものである。
【００３４】
このように、第１の薬粉侵入阻止部１５と第２の薬粉侵入阻止部１６とは、投薬時に落下薬粉捕捉部１４に捕捉された薬粉がホルダ移動室５に侵入するのを２段階で阻止している。
【００３５】
１７はゴム材料により有底円筒状に形成されたポンプで、該ポンプ１７の開口部側は固定ホルダ２の外周側に気密に嵌着されている。また、ポンプ１７の底部側には、該ポンプ１７内に外気を吸込むときに開弁する吸込弁１８が設けられ、固定ホルダ２には吐出弁１９が設けられている。
【００３６】
２０はポンプ１７からカプセル収容室２３に向けて設けられた空気流通路で、該空気流通路２０は、前述した外筒部３の空気供給通路３Ｂ、環状通路９、内筒部４の各径方向通路４Ａ、嵌合筒部１３の各連通孔１３Ａ等によって構成されている。
【００３７】
一方、２１はカプセルホルダ１の可動ホルダ１０に螺着される薬粉噴霧部で、該薬粉噴霧部２１の下側には、可動ホルダ螺着穴２２が形成され、該可動ホルダ螺着穴２２の開口側内周には、可動ホルダ１０の雄ねじ１２Ａに螺着される雌ねじ２２Ａが刻設されている。また、可動ホルダ螺着穴２２の奥所には、一側カプセル穴１２Ｂと共にカプセル収容室２３を構成する他側カプセル穴２２Ｂが形成されている。
【００３８】
さらに、薬粉噴霧部２１の上側には、薬粉を患者の左，右の鼻腔（図示せず）内に噴霧するための左，右の噴霧ノズル２４，２４が突設され、該左，右の噴霧ノズル２４，２４には他側カプセル穴２２Ｂから二又に分岐した左，右の薬粉通路２５，２５が延びている。
【００３９】
２６は第１の穴あけピン８と対向して薬粉噴霧部２１に設けられた第２の穴あけピンで、該第２の穴あけピン２６の先端側はシールゴム２７を貫通するように下向きに延びている。そして、第２の穴あけピン２６は、操作板（図示せず）によって下方に移動されることにより、カプセルＫに流出穴Ｈ2 をあけるものである。
【００４０】
本実施の形態による鼻腔用投薬器は、上述した如く構成されるもので、次に、その使用動作について説明する。
【００４１】
最初に、カプセルＫに流入穴Ｈ1 、流出穴Ｈ2 を形成するまでの準備動作について説明するに、まず、図２に示すように、可動ホルダ１０に形成された一側カプセル穴１２Ｂ内にカプセルＫを挿入し、該カプセルＫを押込むように押圧し、該一側カプセル穴１２Ｂ内に突出した第１の穴あけピン８によってカプセルＫに流入穴Ｈ1 をあける。次に、カプセルホルダ１に薬粉噴霧部２１を組付けるべく、可動ホルダ１０側の雄ねじ１２Ａに薬粉噴霧部２１側の雌ねじ２２Ａを螺着する。これにより、可動ホルダ１０は固定ホルダ２に対して上側に引上げられるように移動するから、流入穴Ｈ1 から第１の穴あけピン８が引き抜かれる。そして、カプセルホルダ１に薬粉噴霧部２１を取付けたら、操作板を上下方向に往復動することにより、図３に示す如く、第２の穴あけピン２６によってカプセルＫに流出穴Ｈ2 をあける。
【００４２】
ここで、カプセルＫに流入穴Ｈ1 をあけたときには、この流入穴Ｈ1 からカプセルＫ内の薬粉が嵌合筒部１３内を落下するが、この薬粉は落下薬粉捕捉部１４で捕捉される。
【００４３】
次に、流入穴Ｈ1 、流出穴Ｈ2 が形成されたカプセルＫ内の薬粉を患者の鼻腔に噴霧するための投薬動作について説明する。
【００４４】
まず、左，右の噴霧ノズル２４，２４を患者の左，右の鼻腔内に挿入し、この状態で、ポンプ１７を押圧すことにより、該ポンプ１７から吐出される圧送空気流を空気流通路２０を経由してカプセル収容室２３に向け供給する。これにより、流入穴Ｈ1 を通ってカプセルＫ内に流入する空気は、当該カプセルＫ内の薬粉を拡散し、薬粉と共に流出穴Ｈ2 を通って左，右の薬粉通路２５内に流出され、左，右の噴霧ノズル２４から患者の鼻腔に噴霧される。
【００４５】
また、この薬粉の投与時には、落下薬粉捕捉部１４に捕捉された薬粉がポンプ１７から供給される空気流によってカプセル収容室２３側に供給され、カプセルＫ内の薬粉と一緒に患者に投与される。
【００４６】
ここで、落下薬粉捕捉部１４とホルダ移動室５との間には、第１の薬粉侵入阻止部１５と第２の薬粉侵入阻止部１６とを設けているから、落下薬粉捕捉部１４に捕捉された薬粉は、ホルダ移動室５への侵入が阻止され、ほぼ全量がカプセル収容室２３側に向けて流れる。
【００４７】
かくして、本実施の形態によれば、落下薬粉捕捉部１４とホルダ移動室５との間には、突起部７の外周面と嵌合筒部１３の内周面との間に摺動部位として形成された第１の薬粉侵入阻止部１５と、有底穴部６の内周面と嵌合筒部１３の外周面との間に摺動部位として形成された第２の薬粉侵入阻止部１６とを設ける構成としている。
【００４８】
これにより、第１の薬粉侵入阻止部１５と第２の薬粉侵入阻止部１６とによって、落下薬粉捕捉部１４に捕捉された薬粉がホルダ移動室５に侵入するのを２段階で阻止することができるから、薬粉の一部がホルダ移動室５内に侵入するような事態を防止することができ、可動ホルダ１０の動作不良を防止してカプセルＫの流入穴Ｈ1 を確実に形成することができる。この結果、落下薬粉捕捉部１４に捕捉した薬粉のほぼ全量を患者に投与することができ、投薬効率を向上することができる。
【００４９】
次に、図４ないし図６は本発明の第２の実施の形態を示すに、本実施の形態の特徴は、薬粉侵入阻止手段は、有底穴部の内周面と嵌合筒部の外周面との間をシールするために固定ホルダに設けられたシールリングとしたことにある。なお、本実施の形態では、前述した第１の実施の形態と同一の構成要素に同一の符号を付し、その説明を省略するものとする。
【００５０】
３１は第１の実施の形態によるカプセルホルダ１に代えて用いられた本実施の形態によるカプセルホルダで、該カプセルホルダ３１は、後述の固定ホルダ３２、可動ホルダ３９、シールリング４６等によって構成されている。
【００５１】
３２はカプセルホルダ３１の外形をなす本実施の形態による固定ホルダで、該固定ホルダ３２は、図４、図５に示す如く、外筒部３３と、該外筒部３３内に同軸に配設された内筒部３４とから大略構成されている。
【００５２】
ここで、外筒部３３は段付筒状をなし、その下部側は底板３３Ａによって閉塞され、該底板３３Ａの中央にはポンプ１７と連通する空気供給通路３３Ｂが形成されている。また、外筒部３３の上端部は、径方向外向きに突出してフランジ部３３Ｃとなり、上部側内周面には後述の回止め突起４０Ａ，４０Ａが係合する係合溝３３Ｄ，３３Ｄが軸方向に延びて形成されている。
【００５３】
また、内筒部３４の底部は、下向きに延びて開弁量規制部３４Ａとなり、内筒部３４の軸方向中間位置には連通孔３４Ｂ，３４Ｂが、例えば周方向に９０度間隔で４本（２本のみ図示）設けられている。さらに、内筒部３４の上部には、後述のシールリング４６が取付けられる環状のリング取付溝３４Ｃが内周面に開口して形成されている。
【００５４】
３５は固定ホルダ３２の外筒部３３の内周面と内筒部３４の上面とによって有底状の空間として形成されたホルダ移動室で、該ホルダ移動室３５内には、可動ホルダ３９の底部４０が移動可能に挿嵌されている。
【００５５】
３６は内筒部３４に設けられ、ホルダ移動室３５の底部から軸方向下向きに延びる有底穴部で、該有底穴部３６には、後述する可動ホルダ３９の嵌合筒部４２が移動可能に嵌合している。また、有底穴部３６の底面中央には、第１の穴あけピン３７が先端部を上側に向けて嵌着されている。
【００５６】
３８は外筒部３３と内筒部３４との間に形成された環状通路で、該環状通路３８は、空気供給通路３３Ｂと連通孔３４Ｂとを連通している。
【００５７】
３９は固定ホルダ３２と共にカプセルホルダ３１を構成する可動ホルダで、該可動ホルダ３９は、固定ホルダ３２のホルダ移動室３５内に軸方向に移動可能に挿嵌された厚肉な底部４０と、該底部４０から軸方向の上向きに延びて設けられた筒部４１と、前記底部４０から軸方向の下向きに延び有底穴部３６内に嵌合した嵌合筒部４２とによって大略構成されている。また、底部４０の周面には、外筒部３３の係合溝３３Ｄ，３３Ｄに係合する回止め突起４０Ａ，４０Ａが径方向に突設されている。さらに、筒部４１の外周側には雄ねじ４１Ａが刻設され、内周側には他側カプセル穴２２Ｂと一体化することによりカプセル収容室４３を構成する一側カプセル穴４１Ｂが形成されている。
【００５８】
４４は内筒部３４の有底穴部３６の底部に設けられた落下薬粉捕捉部で、該落下薬粉捕捉部４４は、図６に示すように、カプセル収容室４３（カプセルＫ）から落下した薬粉を捕捉するものである。
【００５９】
４５はポンプ１７からカプセル収容室４３に向けて設けられた空気流通路で、該空気流通路４５は、前述した外筒部３３の空気供給通路３３Ｂ、環状通路３８、内筒部３４の各連通孔３４Ｂ、嵌合筒部４２内の通路等によって構成されている。
【００６０】
４６は固定ホルダ３２の内筒部３４に設けられた薬粉侵入阻止手段をなすシールリングで、該シールリング４６は、内筒部３４のリング取付溝３４Ｃに嵌着されている。ここで、シールリング４６は、弾性を有するゴム材料から円環状の板体として形成され、その内周端は可動ホルダ３９の嵌合筒部４２外面に密に摺接している。これにより、シールリング４６は、固定ホルダ３２に対して可動ホルダ３９が軸方向に移動するのを許しつつ、固定ホルダ３２の内筒部３４と可動ホルダ３９の嵌合筒部４２との間をシールし、落下薬粉捕捉部４４からホルダ移動室３５への薬粉の侵入を阻止している。
【００６１】
かくして、このように構成される本実施の形態においても、前記第１の実施の形態とほぼ同様の作用効果を得ることができるが、特に、本実施の形態では、固定ホルダ３２の内筒部３４に薬粉侵入阻止手段をなすシールリング４６を設け、固定ホルダ３２と可動ホルダ３９との間をシールしているから、落下薬粉捕捉部４４からホルダ移動室３５への薬粉の侵入を確実に阻止することができ、落下薬粉捕捉部４４に捕捉した薬粉のほぼ全量をカプセル収容室４３側に供給することができ、投薬効率を向上することができる。
【００６２】
また、シールリング４６によって可動ホルダ３９の嵌合筒部４２外面を自動的に清掃することができるから、粉体の固着等による動作不良を防止でき、投薬器の性能を安定化することができる。
【００６３】
なお、第２の実施の形態では、固定ホルダ３２にシールリング４６を設け、該シールリング４６の内周端を可動ホルダ３９に対して摺動させるものとして述べたが、本発明はこれに限るものではなく、可動ホルダ側にシールリングを設け、該シールリングの外周端を固定ホルダに対して摺動させる構成としてもよい。また、シールリングとして汎用品として市販されている断面円形状のＯリング等を用いてもよい。
【００６４】
また、各実施の形態では、薬粉通路２５を二又に分岐し、噴霧ノズル２４を左，右に設けることにより、患者の左，右の鼻腔に同時に投薬できるようにしたが、本発明はこれに限らず、薬粉通路を１本として左，右の鼻腔に交互に噴霧ノズルを挿入して投薬するようにしてもよい。
【００６５】
【発明の効果】
以上詳述した通り、請求項１の発明によれば、固定ホルダと可動ホルダとの間には、ポンプからカプセル収容室に空気を供給したときに落下薬粉捕捉部で捕捉した薬粉が固定ホルダのホルダ移動室側に侵入するのを阻止する薬粉侵入阻止手段を設け、該薬粉侵入阻止手段は、固定ホルダの有底穴部の穴底に突設された突起部の外周面と可動ホルダの底部から延びた嵌合筒部の内周面との間の摺動部位、および前記有底穴部の内周面と嵌合筒部の外周面との間の摺動部位により形成しているから、落下薬粉捕捉部で捕捉した薬粉をポンプから供給される空気流によってカプセル収容室側に供給するときには、薬粉侵入阻止手段によって薬粉が固定ホルダのホルダ移動室側に侵入するのを阻止することができる。これにより、ホルダ移動室に薬粉が堆積して可動ホルダが動作不良を生じるのを防止でき、また落下薬粉捕捉部で捕捉した薬粉のほぼ全量をカプセル内の薬粉と一緒に患者に投与することができ、投薬効率を向上することができる。
【００６６】
即ち、薬粉侵入阻止手段は、固定ホルダの有底穴部の穴底に突設された突起部の外周面と可動ホルダの底部から延びた嵌合筒部の内周面との間の摺動部位、および前記有底穴部の内周面と嵌合筒部の外周面との間の摺動部位により形成しているから、落下薬粉捕捉部で捕捉した薬粉をポンプから供給される空気流によってカプセル収容室側に供給するときには、突起部の外周面と嵌合筒部の内周面との間の摺動部位、および有底穴部の内周面と嵌合筒部の外周面との間の摺動部位の２箇所でシール性を発揮することができ、薬粉が固定ホルダのホルダ移動室側に侵入するのを阻止することができ、投薬効率を向上することができる。
【００６７】
また、請求項２の発明によれば、薬粉侵入阻止手段は、固定ホルダまたは可動ホルダに設けられたシールリングにより構成し、このシールリングは、ホルダ移動室の底部から軸方向に延びる有底穴部の内周面と可動ホルダの底部から軸方向に延びた嵌合筒部の外周面との間をシールする構成としているから、落下薬粉捕捉部で捕捉した薬粉をポンプから供給される空気流によってカプセル収容室側に供給するときには、シールリングによって有底穴部の内周面と嵌合筒部の外周面との間をシールすることができ、薬粉が固定ホルダのホルダ移動室側に侵入するのを阻止することができ、投薬効率を向上することができる。
【図面の簡単な説明】
【図１】本発明の第１の実施の形態による鼻腔用投薬器を示す縦断面図である。
【図２】薬粉噴霧部を取外した状態のカプセルホルダを拡大して示す拡大縦断面図である。
【図３】薬粉を投与している状態の鼻腔用投薬器の要部を拡大して示す拡大縦断面図である。
【図４】本発明の第２の実施の形態による鼻腔用投薬器を示す縦断面図である。
【図５】薬粉噴霧部を取外した状態のカプセルホルダを拡大して示す拡大縦断面図である。
【図６】薬粉を投与している状態の鼻腔用投薬器の要部を拡大して示す拡大縦断面図である。
【符号の説明】
２，３２  固定ホルダ
５，３５  ホルダ移動室
６，３６  有底穴部
７  突起部
８，３７  第１の穴あけピン
１０，３９  可動ホルダ
１１，４０  底部
１２，４１  筒部
１３，４２  嵌合筒部
１４，４４  落下薬粉捕捉部
１５  第１の薬粉侵入阻止部
１６  第２の薬粉侵入阻止部
１７  ポンプ
２０，４５  空気流通路
２１  薬粉噴霧部
２３，４３  カプセル収容室
２４  噴霧ノズル
４６  シールリング（薬粉侵入阻止手段）
Ｋ  カプセル
【図１】
0003678933.tif 000002
【図２】
0003678933.tif 000003
【図３】
0003678933.tif 000004
【図４】
0003678933.tif 000005
【図５】
0003678933.tif 000006
【図６】
0003678933.tif 000007